(57)【要約】【課題】投稿者が視聴者の場所とマッチングするコンテンツを配信する。【解決手段】投稿解説支援サーバは、一又は複数の投稿側端末２から位置情報と投稿側端末２に係る属性情報を受信し、各投稿側端末２をそれぞれ一意に識別する識別情報を発行する発行手段と、各投稿側端末２の位置情報と属性情報を識別情報に関連付けて管理する管理手段と、投稿側端末２から送信された投稿データを識別情報に関連付けて保管する保管手段と、視聴側端末４から位置情報を受信した際、当該位置情報でフィルタリングした投稿側端末２の属性情報と識別情報の組み合わせを視聴側端末４に送信する属性情報送信手段と、視聴側端末４から識別情報と投稿データの取得依頼を受信した際、識別情報に関連付けられた投稿データを視聴側端末４に配信する配信手段とを備える。【選択図】図１
2020021206.tif 000002
【特許請求の範囲】
【請求項１】
一又は複数の投稿側端末から位置情報と前記投稿側端末に係る属性情報を受信し、前記投稿側端末をそれぞれ一意に識別する識別情報を発行する発行手段と、
各前記投稿側端末の位置情報と属性情報を、前記発行手段が当該投稿側端末に発行した識別情報に関連付けて管理する管理手段と、
前記投稿側端末から送信された投稿データを、当該投稿側端末の識別情報に関連付けて保管する保管手段と、
視聴側端末から位置情報を受信した際、当該位置情報でフィルタリングした前記投稿側端末の属性情報と識別情報の組み合わせを、前記視聴側端末に送信する属性情報送信手段と、
前記視聴側端末から識別情報と投稿データの取得依頼を受信した際、前記識別情報に関連付けられた投稿データを前記視聴側端末に配信する配信手段と、
を備えることを特徴とする投稿解説支援サーバ。
【請求項２】
前記位置情報は、緯度情報と経度情報の組み合わせである、
ことを特徴とする請求項１に記載の投稿解説支援サーバ。
【請求項３】
前記位置情報は、無線通信装置の識別情報によって前記無線通信装置の位置情報テーブルを検索することで算出される、
ことを特徴とする請求項１に記載の投稿解説支援サーバ。
【請求項４】
一又は複数の投稿側端末から位置情報と前記投稿側端末に係る属性情報を受信し、前記投稿側端末をそれぞれ一意に識別する識別情報を発行する発行手段と、
各前記投稿側端末の位置情報と属性情報を、前記発行手段が当該投稿側端末に発行した識別情報に関連付けて管理する管理手段と、
前記投稿側端末に一または複数の施設情報を送信する施設情報送信手段と、
前記投稿側端末から選択された施設情報を受信した際、前記投稿側端末によって選択された施設に係る地図情報を送信する地図情報送信手段と、
前記投稿側端末によって選択された集合場所を受信する集合場所受信手段と、
前記投稿側端末から送信された投稿データを、当該投稿側端末の識別情報および前記集合場所に関連付けて保管する保管手段と、
を備えることを特徴とする投稿解説支援サーバ。
【請求項５】
視聴側端末から位置情報を受信した際、当該位置情報でフィルタリングした前記投稿側端末の属性情報と識別情報と集合場所情報の組み合わせを前記視聴側端末に送信する属性情報送信手段を更に備える、
ことを特徴とする請求項４に記載の投稿解説支援サーバ。
【請求項６】
コンピュータを、
一又は複数の投稿側端末から位置情報と前記投稿側端末に係る属性情報を受信し、前記投稿側端末をそれぞれ一意に識別する識別情報を発行する発行手段、
各前記投稿側端末の位置情報と属性情報に、前記発行手段が当該投稿側端末に発行した識別情報に関連付けて管理する管理手段、
前記投稿側端末に一または複数の施設情報を送信する施設情報送信手段、
前記投稿側端末から選択された施設情報を受信した際、前記投稿側端末によって選択された施設に係る地図情報を送信する地図情報送信手段、
前記投稿側端末によって選択された集合場所を受信する集合場所受信手段、
前記投稿側端末から送信された投稿データを、当該投稿側端末の識別情報および前記集合場所に関連付けて保管する保管手段、
として機能させるための投稿解説支援プログラム。
【発明の詳細な説明】
【技術分野】
【０００１】
本発明は、投稿解説支援サーバおよび投稿解説支援プログラムに関する。
【背景技術】
【０００２】
現在、ニコニコ動画（登録商標）やYouTube（登録商標）、Instagram（登録商標）などように、音声、動画、画像をインターネット経由で共有できるサービスが稼働している。これらのサービスは、不特定多数のユーザ（以下、投稿者という。）がインターネット上のサーバに投稿したコンテンツを、不特定多数のユーザ（以下、視聴者という。）が視聴したり鑑賞したりすることが可能なサービスである。
【０００３】
しかし、このような既存のサービスにおいて、共有されたコンテンツを視聴するにあたって、視聴者は適切なキーワードを使用して検索する必要があった。
キーワード以外の検索条件として、視聴者の物理的な位置を利用することが考えられる。特許文献１には、現在位置に対応するコンテンツを通知することが可能な情報処理システム、情報処理装置、およびプログラムに関する発明が記載されている。
【０００４】
また、従来、ミニＦＭ局のように、微弱無線局によって簡易的な放送が行われてきた。このような微弱無線局による放送によって、簡単に実況放送を行うことができる。その反面、時間的に限定されてしまい、かつアナログ電波の到達範囲に限定されるという問題点があった。
【先行技術文献】
【特許文献】
【０００５】
【特許文献１】特開２０１４−９０３８６号公報
【発明の概要】
【発明が解決しようとする課題】
【０００６】
オリンピック競技が行われているスタジアム等にいる投稿者が視聴者らに対して実況解説する場合を考える。微弱無線局による簡易的な放送では、アナログ電波の到達範囲に限定されてしまい、かつ時間的にも限定されてしまう。
特許文献１に記載の方法ならば、コンテンツを現在位置に対応させて通知することにより、視聴者は、このコンテンツの通知を受けることができる。しかし、投稿者がどのようにして位置に対応するコンテンツ（投稿音声や投稿動画など）をサーバに投稿するかについては、何ら記載されていない。
そこで、本発明は、投稿者が視聴者のいる場所とマッチングするコンテンツを配信することを課題とする。
【課題を解決するための手段】
【０００７】
上記課題を解決するため、本発明の投稿解説支援サーバは、一又は複数の投稿側端末から位置情報と前記投稿側端末に係る属性情報を受信し、前記投稿側端末をそれぞれ一意に識別する識別情報を発行する発行手段と、各前記投稿側端末の位置情報と属性情報を、前記発行手段が当該投稿側端末に発行した識別情報に関連付けて管理する管理手段と、前記投稿側端末から送信された投稿データを、当該投稿側端末の識別情報に関連付けて保管する保管手段と、視聴側端末から位置情報を受信した際、当該位置情報でフィルタリングした前記投稿側端末の属性情報と識別情報の組み合わせを、前記視聴側端末に送信する属性情報送信手段と、前記視聴側端末から識別情報と投稿データの取得依頼を受信した際、前記識別情報に関連付けられた投稿データを前記視聴側端末に配信する配信手段と、を備えることを特徴とする。
【発明の効果】
【０００８】
本発明によれば、投稿者が視聴者のいる場所とマッチングするコンテンツを配信可能となる。
【図面の簡単な説明】
【０００９】
【図１】第１の実施形態のスタジアムと投稿者との位置関係を示す図である。
【図２】投稿側端末の構成を示すブロック図である。
【図３】視聴側端末の構成を示すブロック図である。
【図４】投稿サーバの構成を示すブロック図である。
【図５】投稿者リスト画面を示す図である。
【図６】解説中画面を示す図である。
【図７】投稿側端末に係るシーケンス図である。
【図８】視聴側端末に係るシーケンス図である。
【図９】第２の実施形態の施設と投稿者との位置関係を示す図である。
【図１０】投稿側端末に係るシーケンス図である。
【図１１】視聴側端末に係るシーケンス図である。
【図１２】第３の実施形態のスタジアムと投稿者との位置関係を示す図である。
【図１３】投稿側端末に係るシーケンス図である。
【図１４】視聴側端末に係るシーケンス図である。
【図１５】投稿者リスト画面を示す図である。
【図１６】集合場所選択画面を示す図である。
【図１７】解説中画面を示す図である。
【図１８】集合場所画面を示す図である。
【図１９】解説中画面を示す図である。
【発明を実施するための形態】
【００１０】
以降、本発明を実施するための形態を、各図を参照して詳細に説明する。
本発明は、例えば、オリンピック競技が行われているスタジアムにいる複数人の投稿者（解説者または実況者）が、それぞれ投稿コンテンツ（解説音声など）をサーバに投稿し、それらのコンテンツを複数人の視聴者が視聴する場合に、これら視聴者の利便性を高めるものである。具体的には、投稿者（解説者または実況者）がいる場所から所定の範囲内にいる視聴者に対してコンテンツを配信可能としている。所定の範囲とは、例えば投稿者がいる場所を中心として所定距離を半径とした円形の範囲や、投稿者がいるスタジアム等の施設の敷地内の範囲である。また、視聴者がプロフィールを登録することにより、投稿者（解説者または実況者）と視聴者とをマッチングすることも可能である。
【００１１】
図１は、第１の実施形態のスタジアム３ｘ，３ｙと投稿者１ａ〜１ｆとの位置関係を示す図である。
第１の実施形態では、屋外のスタジアム３ｘ，３ｙにおける投稿を示している。
第１の実施形態において、投稿者１ａは、屋外のスタジアム３ｘに位置している。この投稿者１ａは、投稿側端末２ａを操作して、スタジアム３ｘで開催されるスポーツ競技などの解説などを投稿する。投稿側端末２ｂ，２ｃを有する投稿者１ｂ，１ｃも同様である。これら投稿者１ａ〜１ｃが投稿する投稿データは、破線で示した範囲内、すなわち投稿者１ａ〜１ｃの位置から所定距離を半径とした円形の範囲内の視聴者が視聴することができる。なお、この所定の範囲は、投稿サーバ５に予め設定されていてもよいし、各投稿者１ａ〜１ｃが任意に設定可能であってもよい。また、この所定の範囲は、投稿者がいるスタジアム等の施設の敷地内の範囲であってもよい。
【００１２】
投稿者１ｄは、屋外のスタジアム３ｙに位置している。この投稿者１ｄは、投稿側端末２ｄを操作して、スタジアム３ｙで開催されるスポーツ競技などの解説を投稿する。投稿側端末２ｅ，２ｆを有する投稿者１ｅ，１ｆも同様である。これら投稿者１ｄ〜１ｆが投稿する投稿データは、破線で示した範囲内、すなわち投稿者１ｄ〜１ｆの位置から所定の範囲内の視聴者が視聴することができる。
【００１３】
投稿側端末２ａ〜２ｃは、ＧＰＳ（Global Positioning System）を用いてスタジアム３ｘの位置情報を取得する。このスタジアム３ｘの視聴者が有する不図示の視聴側端末４も同様に、ＧＰＳを用いてスタジアム３ｘの位置情報を取得する。
投稿側端末２ｄ〜２ｆも同様に、ＧＰＳを用いてスタジアム３ｙの位置情報を取得する。このスタジアム３ｙの視聴者が有する視聴側端末４も同様に、ＧＰＳを用いてスタジアム３ｙの位置情報を取得する。以下、各投稿側端末２ａ〜２ｆを特に区別しないときには、単に投稿側端末２と記載する。
【００１４】
なお、投稿プログラムを実行する投稿側端末２に表示された地図機能上で、投稿者がランドマークとしてのスタジアム３ｘを指定すると、投稿位置が自動設定されるようにしてもよい。
投稿側端末２の位置情報から所定の範囲内に存在する観客（視聴者）が有している視聴側端末４には、それぞれの投稿ＩＤと投稿基本情報とが送信される。つまり、各視聴側端末４は、位置情報によってコンテンツを絞り込むことができる。
【００１５】
スタジアム３ｘにいる観客の視聴側端末４には、スタジアム３ｘで投稿している投稿者１ａ〜１ｃの投稿コンテンツのメタデータがリスト表示され、スタジアム３ｙで投稿している投稿者１ｄ〜１ｆの投稿コンテンツのメタデータはリストに表示されない。そのため、観客は自分に関係ある投稿コンテンツを選択しやすくなる。なお、投稿コンテンツのメタデータとは、例えば投稿者名と、投稿コンテンツの内容と、投稿の開始日時と、一言コメント、投稿者のプロフィールで構成されている。観客は、投稿コンテンツのメタデータリストのうちいずれかを選択すると、スタジアム３ｘで観戦しながら投稿コンテンツを視聴することができる。
【００１６】
図２は、投稿側端末２の構成を示すブロック図である。
投稿側端末２は、スマートフォン等のネットワーク接続された端末である。投稿側端末２は、ＣＰＵ（Central Processing Unit）２１と、ＲＯＭ（Read Only Memory）２２１と、ＲＡＭ（Random Access Memory）２２２と、記憶部２８とを備えている。ＣＰＵ２１は、ソフトウェアプログラムを実行する演算装置であり、ＲＯＭ２２１や記憶部２８に格納されたプログラムを実行することにより、各種機能を実現する。ＲＯＭ２２１は、不揮発性メモリであり、例えばこの端末の基本入出力ソフトウェアが格納されている。記憶部２８は、例えばフラッシュメモリなどの書き換え可能な大容量メモリであり、ここでは投稿プログラム２８１を格納している。ＲＡＭ２２２は、揮発性メモリであり、ＣＰＵ２１が投稿プログラム２８１を実行する際の一時変数が格納される。このＣＰＵ２１が、投稿プログラム２８１を実行することにより、解説音声や解説動画の投稿を行うことができる。
【００１７】
投稿側端末２は更に、ＧＰＳモジュール２３１、ビーコンモジュール２３２、撮像部２４１、マイク２４２、通信部２５、タッチパネルディスプレイ２６、スピーカ２７を備えている。
【００１８】
ＧＰＳモジュール２３１は、ＧＰＳ衛星の電波を受信するものである。ＧＰＳモジュール２３１が受信したＧＰＳ衛星の電波により、自身の現在位置を知ることができる。
ビーコンモジュール２３２は、自身の近傍に位置するビーコン装置の信号を受信するモジュールである。
【００１９】
撮像部２４１は映像を撮影して電気信号に変換し、マイク２４２は、音声を収録して電気信号に変換する。これら撮像部２４１やマイク２４２により、投稿する映像や音声を収録することができる。
通信部２５は、携帯電話の基地局またはWi-Fiルータとの通信を行う。
タッチパネルディスプレイ２６は、例えば透明電極で構成されたタッチパネルとディスプレイとが積層されて構成されており、操作部および表示部として機能する。スピーカ２７は、電気信号を音声に変換するものである。
【００２０】
図３は、視聴側端末４の構成を示すブロック図である。
視聴側端末４は、スマートフォン等のネットワーク接続された端末であり、撮像部を備えていない他は、投稿側端末２と同様に構成されている。視聴側端末４が備える記憶部４８には、投稿プログラム２８１の代わりに視聴プログラム４８１が格納されている。ＣＰＵ４１が、視聴プログラム４８１を実行することにより、投稿されている投稿データを視聴することができる。
【００２１】
図４は、投稿サーバ５の構成を示すブロック図である。
投稿サーバ５（投稿解説支援サーバ）は、例えばデータセンタ等に設けられてネットワーク接続されたコンピュータであり、投稿解説を支援する機能を有している。投稿サーバ５は、ＣＰＵ５１と、ＲＯＭ５２１と、ＲＡＭ５２２と、記憶部５８と、入力部５３と、表示部５４と、通信部５５を備えている。
ＣＰＵ５１は、ソフトウェアプログラムを実行する演算装置であり、ＲＯＭ５２１や記憶部５８に格納されたプログラムを実行することにより、各種機能を実現する。ＲＯＭ５２１は、不揮発性メモリであり、例えばこのコンピュータの基本入出力ソフトウェアが格納されている。記憶部５８は、例えばハードディスクドライブなどの書き換え可能な大容量メモリであり、ここでは投稿解説支援プログラム５８７、投稿ＩＤ５８１、投稿基本情報５８２、投稿者位置情報５８３、投稿データ５８４、視聴者基本情報５８５、視聴者位置情報５８６などを格納している。ＲＡＭ５２２は、揮発性メモリであり、ＣＰＵ５１が投稿解説支援プログラム５８７を実行する際の一時変数が格納される。このＣＰＵ２１が、投稿解説支援プログラム５８７を実行することにより、解説などの投稿を行うことができる。
【００２２】
投稿ＩＤ５８１は、各投稿者に割り振られた識別子である。投稿基本情報５８２は、各投稿者のプロフィールなどを含む属性情報である。投稿者位置情報５８３は、各投稿者の位置情報である。投稿データ５８４は、各投稿者が送信したコンテンツである。視聴者基本情報５８５は、各視聴者のプロフィールなどを含む属性情報である。視聴者位置情報５８６は、各視聴者の位置情報である。
【００２３】
図５は、投稿者選択画面６１を示す図である。
視聴側端末４は、投稿サーバ５から投稿基本情報５８２を受信すると、それをタッチパネルディスプレイ４６に表示する。
投稿者選択画面６１は、タイトル６１１と、各投稿者リスト６１２ａ〜６１２ｃを含んでいる。タイトル６１１には、「解説channel」と表示されている。投稿者リスト６１２ａには、投稿者を示すサムネイルと、投稿者の氏名である「トッキョタロウ」、一言コメントである「巨人ファン向け」、投稿開始時間である「７月１１日１８時」が表示されている。投稿者リスト６１２ｂ，６１２ｃも同様な内容が表示されている。
【００２４】
ここで視聴者（観客）が、投稿者リスト６１２ａ〜６１２ｃのうちいずれかをタップすると、タップした投稿者が選択されて、この投稿者による解説が開始する。これにより、図６に示す解説中画面６２に遷移する。以下、投稿者リスト６１２ａ〜６１２ｃを特に区別しないときには、単に投稿者リスト６１２と表示する。
【００２５】
図６は、解説中画面６２を示す図である。
解説中画面６２は、タイトル６２１と、解説領域６２２と、テロップ領域６２３と、いいねアイコン６２４、わるいねアイコン６２５を含んでいる。タイトル６２１には、投稿の名称として「トッキョタロウchannel」が表示されている。解説領域６２２には、投稿者が送信した投稿データが表示されており、ここでは投稿者を撮影した動画が表示されており、かつスピーカ４７を介して投稿者が喋る音声が出力される。テロップ領域６２３には、「解説中」が表示されている。
投稿データが投稿音声や投稿動画ならば、ストリーミングでリアルタイムに視聴者に提供されるとよい。
【００２６】
いいねアイコン６２４とわるいねアイコン６２５は、視聴者が投稿者を評価するインタフェースである。各視聴者がいいねアイコン６２４やわるいねアイコン６２５をタップすると、その情報は投稿サーバ５に蓄積されて、例えば次回の投稿者リスト６１２に表示され、かつ投稿者のリストを人気順に表示させる。
【００２７】
図７は、投稿側端末２に係るシーケンス図である。
投稿側端末２は、初期設定のためにＧＰＳモジュール２３１により位置情報を取得する（Ｓ１０）。なお、ＧＰＳモジュール２３１による位置情報に限定せず、例えば投稿プログラムによって表示された地図上から、投稿者が手動で設定可能な構成であってもよい。投稿者が地図上の任意の場所を選択した場合、その場所に対応した位置情報（緯度と経度、住所、施設名など、位置に関する情報）が設定される。これにより、投稿者がその場にいなくても投稿側端末２は、仮想的に自身の位置情報を設定して投稿を可能とする。
【００２８】
次に投稿側端末２は、投稿側端末２の位置情報と、投稿ＩＤ発行依頼と、投稿基本情報を投稿サーバ５に送信する（Ｓ１１）。ここで投稿基本情報とは、投稿者名、投稿予定時刻、投稿対象、チャンネル番号、投稿タイトル、投稿者のプロフィール（年齢、性別、居住地域、経歴、好み等の個人情報）などを含んで構成されるメタデータである。なお、位置情報に所定の範囲に関する情報を含ませてもよい。また、この所定の範囲は、投稿者が任意に設定可能であってもよい。この場合、投稿サーバ５は、投稿側端末２から設定された所定の範囲に従って視聴側端末４をフィルタリングする。
【００２９】
投稿サーバ５は、位置情報と、投稿ＩＤ発行依頼と、投稿基本情報を受信すると、投稿ＩＤを発行し（Ｓ１２）、位置情報、投稿ＩＤ、投稿基本情報を関連付けて管理する（Ｓ１３）。投稿サーバ５は更に、投稿ＩＤを投稿側端末２に送信する（Ｓ１４）。これにより、投稿側端末２は、投稿データの送信が可能となる。
【００３０】
なお、投稿サーバ５は、投稿基本情報と、各視聴側端末４から受信した視聴者基本情報のそれぞれのプロフィール（好みなど）をマッチングさせ、マッチングした視聴側端末４に対して投稿データを配信可能としてもよい。
【００３１】
ステップＳ１４において、投稿側端末２は、投稿サーバ５から投稿ＩＤを受信する。その後、任意のタイミングで、この投稿ＩＤに関連付けた投稿データ（音声など）を投稿サーバ５に送信する（Ｓ１５）。なお、投稿側端末２は、ＧＰＳモジュール２３１により位置情報を取得し、投稿者１が移動していると判断した場合、ステップＳ１５において、投稿側端末２の位置情報も送信してもよい。投稿サーバ５は、投稿側端末２の位置情報と投稿ＩＤ、投稿基本情報に関連付けて投稿データを保管する（Ｓ１６）。
【００３２】
図８は、視聴側端末４に係るシーケンス図である。
視聴側端末４は、初期設定のためにＧＰＳモジュール４３１により位置情報を取得する（Ｓ２０）。なお、ＧＰＳモジュール４３１による位置情報に取得に限定せず、例えば視聴プログラムの地図上から、視聴者が手動で設定可能な構成であってもよい。視聴者が地図上の任意の場所を選択した場合、その場所に対応した位置情報（緯度と経度、住所、施設名など、位置に関する情報）が設定される。そうした場合、視聴者はその場にいなくても視聴側端末４は、仮想的に自身の位置情報を設定して投稿の視聴を可能とする。
【００３３】
次に視聴側端末４は、視聴側端末４の位置情報と、視聴者基本情報と、投稿視聴依頼とを投稿サーバ５に送信する（Ｓ２１）。ここで視聴者基本情報とは、視聴者の好みなどを含むプロフィール情報である。なお、プロフィール情報として、視聴者の年齢、性別、居住地域、経歴などの個人情報が含まれていてもよい。
【００３４】
投稿サーバ５は、視聴側端末４の位置情報と、視聴者基本情報と、投稿視聴依頼を受信すると、ステップＳ１５で管理した投稿側端末２の位置情報を、視聴側端末４の位置情報でフィルタリングして、投稿ＩＤを抽出する（Ｓ２２）。投稿サーバ５は、抽出した投稿ＩＤ（単数または複数）とその投稿基本情報を、視聴側端末４に送信する（Ｓ２３）。つまり投稿サーバ５は、各投稿側端末２の位置から所定の範囲内に存在する視聴側端末４に対して、各投稿側端末２の投稿ＩＤと投稿基本情報を送信する。つまり、スタジアム３などで投稿する場合は、投稿者と視聴者がそのスタジアム３にいて、一緒に盛り上がることができる。
【００３５】
視聴側端末４は、ステップＳ２３において、投稿ＩＤと関連付けられた投稿基本情報を受信すると、タッチパネルディスプレイ４６に投稿基本情報をリスト表示する（Ｓ２４）。この視聴側端末４を所有する観客は、このタッチパネルディスプレイ４６を操作して、好みの投稿者を選択する（Ｓ２５）。これにより視聴側端末４は、投稿データ取得依頼と投稿ＩＤを投稿サーバ５に送信する。
【００３６】
投稿サーバ５は、ステップＳ２６において、投稿データ取得依頼と投稿ＩＤを受信すると、投稿ＩＤに関連付けられた投稿データを取得して（Ｓ２７）、視聴側端末４に送信する（Ｓ２８）。なお、投稿が未だ始まっていない場合、投稿サーバ５は、メタデータに含まれる開始予定時刻などを視聴側端末４に表示させてもよい。
視聴側端末４は、受信した投稿データを再生する。これにより視聴側端末４を所有する観客は、投稿データを視聴することができる。
【００３７】
なお、視聴側端末４は、ＧＰＳモジュール４３１により位置情報を取得し、観客が移動していると判断した場合、ステップＳ２６において、視聴側端末４の位置情報も送信してもよい。そして、投稿サーバ５は、視聴側端末４が投稿側端末２から所定の範囲外となった場合にその旨を視聴側端末４に送信し、視聴側端末４はその旨を視聴者に通知してもよい。これにより、例えば観光案内人が投稿者で、観光客が観客であった場合、観光客が観光案内人からはぐれてしまうことを防止できる。
【００３８】
本実施形態のシステムによれば、投稿者がいる場所から所定の範囲内にいる視聴者に対して、該当する投稿データのリストを配信することができる。例えば、視聴者は視聴プログラムの画面に表示された複数の投稿データリストのうち好みの投稿データを選択することで、その投稿データを視聴することが可能となる。なお、投稿者は実際にその場所にいなくても、投稿プログラム２８１の地図機能上でランドマークを設定（予め地図機能上に設定されているランドマーク、もしくは投稿者が任意に設定するランドマーク）する構成であってもよい。その場合、投稿者がいる場所はランドマークの場所として設定される。
また、視聴者は実際にその場所にいなくても、視聴プログラムの地図機能上のランドマークを自身がいる場所として設定してもよい。その場合、視聴者がいる場所はランドマークの場所として設定される。
【００３９】
予め投稿者プロフィール（好みなど）の属性データと、視聴者プロフィール（好みなど）を投稿プログラム２８１または視聴プログラムを介して投稿サーバに登録しておくことにより、投稿サーバは、投稿者の好みと視聴者の好みをマッチングさせることができる。例えば野球の試合会場の場合、投稿者が好きな球団と視聴者が好きな球団をマッチングさせ、視聴者に投稿データを表示させる際に、好みに合う投稿者を優先的に表示させることができる。
【００４０】
図９は、第２の実施形態の施設３ｐ，３ｑと投稿者１ａ〜１ｆとの位置関係を示す図である。
第２の実施形態では、屋内の施設３ｐ，３ｑにおける投稿を示している。
第２の実施形態において、投稿者１ａは、屋内の施設３ｐに位置している。この投稿者１ａは、投稿側端末２ａを操作して、屋内の施設３ｐで開催されるスポーツ競技の解説などを投稿する。投稿側端末２ｂ，２ｃを有する投稿者１ｂ，１ｃも同様である。これら投稿者１ａ〜１ｃが投稿する投稿データは、破線で示した範囲内、すなわち投稿者１ａ〜１ｃの位置から所定の範囲内の視聴者が視聴することができる。この場合の投稿者または視聴者の位置は、投稿側端末２または視聴側端末４が受信したビーコン信号を送信するビーコン装置の設置場所である。また、所定の範囲は、投稿側端末２または視聴側端末４が受信したビーコン信号の有効到達距離の範囲である。なお、この所定の範囲は、例えばビーコン装置のビーコン信号の電波強度を変更可能とすることによって、各投稿者が任意に設定可能であってもよい。
【００４１】
投稿者１ｄは、屋内の施設３ｑに位置している。この投稿者１ｄは、投稿側端末２ｄを操作して、屋内の施設３ｑで開催されるスポーツ競技などの解説を投稿する。投稿側端末２ｅ，２ｆを有する投稿者１ｅ，１ｆも同様である。これら投稿者１ｄ〜１ｆが投稿する投稿データは、破線で示した範囲内、すなわち投稿者１ｆ〜１ｆの位置から所定の範囲内の視聴者が視聴することができる。
【００４２】
投稿側端末２ａ〜２ｃは、この施設３ｐに設置されたビーコン装置３１ｐを用いて、施設３ｐの位置情報を取得する。この施設３ｐの視聴者が有する視聴側端末４も同様に、この施設３ｐに設置されたビーコン装置３１ｐを用いて、施設３ｐの位置情報を取得する。
投稿側端末２ｄ〜２ｆも同様に、施設３ｐに設置されたビーコンを用いてスタジアム３ｙの位置情報を取得する。このスタジアム３ｙの視聴者が有する視聴側端末４も同様に、施設３ｐに設置されたビーコン装置３１ｐを用いてスタジアム３ｘの位置情報を取得する。
【００４３】
なお、投稿側端末２に表示された投稿プログラム２８１の地図機能上で、投稿者がランドマークとしての施設３ｐを指定すると、投稿位置が自動設定されるようにしてもよい。
投稿側端末２の位置情報から所定の範囲内に存在する観客（視聴者）が有している視聴側端末４には、それぞれの投稿ＩＤと投稿基本情報とが送信される。つまり、各視聴側端末４は、位置情報によってコンテンツを絞り込むことができる。
【００４４】
施設３ｐにいる観客の視聴側端末４には、施設３ｐで投稿している投稿者１ａ〜１ｃの投稿コンテンツのメタデータがリスト表示され、施設３ｑで投稿している投稿者１ｄ〜１ｆの投稿コンテンツのメタデータはリストに表示されない。そのため、観客は自分に関係ある投稿コンテンツを選択しやすくなる。なお、投稿コンテンツのメタデータとは、例えば投稿者名と、投稿コンテンツの内容と、投稿の開始日時と、一言コメントで構成されている。観客は、投稿コンテンツのメタデータリストのうちいずれかを選択すると、施設で観戦しながら投稿コンテンツを視聴することができる。
【００４５】
施設３ｐ，３ｑ内に設置されたビーコン装置３１ｐ，３１ｑは、例えばBluetooth（登録商標）規格を使用したビーコン装置であり、UUID(Universally Unique Identifier)とMajorとMinorとを含んで構成されるビーコンＩＤを含むビーコン信号を送信する。ビーコン装置３１ｐ，３１ｑを特に区別しないときには、単にビーコン装置３１と記載する。
なお、場所が小規模な場合は、投稿側端末２自身がビーコン装置３１の役割を行う構成であってもよい。また、ビーコン信号はBluetooth（登録商標）に限らない。例えば無線ＬＡＮアクセスポイントでもよい。その場合のビーコンＩＤは無線ＬＡＮの識別子であるＥＳＳＩＤ（Extended Service Set Identifier）とすることができる。また音波や赤外線等の光を用いたビーコン装置であってもよい。
【００４６】
図１０は、投稿側端末２に係るシーケンス図である。
投稿側端末２は、初期設定のためにビーコン装置３１からビーコンＩＤを取得する（Ｓ３０）。なお、ビーコン装置３１による位置情報に限定せず、例えば投稿プログラム２８１の地図上から、投稿者が手動でビーコンＩＤを設定可能な構成であってもよい。投稿プログラム２８１を実行するＣＰＵ２１が投稿サーバ５等から事前に取得したビーコン装置の設置情報を持った地図に対して、投稿者が地図上に表示されたビーコン装置の設置場所を選択した場合、その場所に対応した位置情報（ビーコンＩＤ）が設定される。これにより、投稿者がその場にいなくても、投稿側端末２は、仮想的に自身の位置情報を設定して投稿を可能とする。
【００４７】
次に投稿側端末２は、投稿側端末２が取得したビーコンＩＤと、投稿ＩＤ発行依頼と、投稿基本情報を投稿サーバ５に送信する（Ｓ３１）。ここで投稿基本情報とは、投稿者名、投稿予定時刻、投稿対象、チャンネル番号、投稿タイトル、投稿者のプロフィール（年齢、性別、居住地域、経歴、好み等の個人情報）などを含んで構成されるメタデータである。
【００４８】
投稿サーバ５は、投稿側端末２が取得したビーコンＩＤと、投稿ＩＤ発行依頼、投稿基本情報を受信すると、投稿ＩＤを発行し（Ｓ３２）、投稿側端末が取得したビーコンＩＤ、投稿ＩＤ、投稿基本情報を関連付けて管理する（Ｓ３３）。投稿サーバ５は更に、投稿ＩＤを投稿側端末に送信する（Ｓ３４）。これにより、投稿側端末２は、投稿データの送信が可能となる。
【００４９】
なお、投稿サーバ５は、投稿基本情報と、各視聴側端末４から受信した視聴者基本情報のそれぞれのプロフィール（好みなど）をマッチングさせ、マッチングした視聴側端末４に対して投稿データを配信可能としてもよい。
【００５０】
ステップＳ３４において、投稿側端末２は、投稿サーバ５から投稿ＩＤを受信する。その後、任意のタイミングで、この投稿ＩＤに関連付けた投稿データ（音声など）を投稿サーバ５に送信する（Ｓ３５）。なお、投稿者１が移動している場合、ステップＳ３５において、投稿側端末２が取得したビーコンＩＤも送信してもよい。投稿サーバ５は、投稿側端末２が取得したビーコンＩＤと投稿ＩＤ、投稿基本情報に関連付けて投稿データを保存する（Ｓ３６）。
【００５１】
図１１は、視聴側端末４に係るシーケンス図である。
視聴側端末４は、初期設定のためにビーコンモジュール４３２によりビーコンＩＤを取得する（Ｓ４０）。なお、ビーコンモジュール４３２による位置情報の取得に限定せず、例えば視聴プログラムの地図上から、視聴者が手動でビーコンＩＤを設定可能な構成であってもよい。視聴プログラム４８１を実行するＣＰＵ４１が投稿サーバ５等から事前に取得したビーコン装置の設置情報を持った地図に対して、視聴者が地図上に表示されたビーコン装置の設置場所を選択した場合、その場所に対応した位置情報（ビーコンＩＤ）が設定される。そうした場合、視聴者はその場にいなくても視聴側端末４は、仮想的に自身の位置情報を設定して、投稿された音声や動画などの視聴を可能とする。
【００５２】
次に視聴側端末４は、視聴側端末４が取得したビーコンＩＤと、視聴者基本情報と、投稿視聴依頼とを投稿サーバ５に送信する（Ｓ４１）。ここで視聴者基本情報とは、視聴者の好みなどを含むプロフィール情報である。なお、プロフィール情報として視聴者の年齢、性別、居住地域、経歴などの個人情報が含まれていてもよい。
【００５３】
投稿サーバ５は、視聴側端末４が取得したビーコンＩＤと、視聴者基本情報と、投稿視聴依頼を受信すると、ステップＳ３５で管理した投稿側端末２が取得したビーコンＩＤを、視聴側端末４が取得したビーコンＩＤでフィルタリングして、投稿ＩＤを抽出する（Ｓ４２）。投稿サーバ５は、抽出した投稿ＩＤ（単数または複数）とその投稿基本情報を、視聴側端末４に送信する（Ｓ４３）。つまり投稿サーバ５は、各投稿側端末２が取得したビーコンＩＤと同一のビーコンＩＤを取得した視聴側端末４に対して、各投稿側端末２の投稿ＩＤと投稿基本情報を送信する。つまり、スタジアム３などで投稿する場合は、投稿者１と視聴者がそのスタジアム３にいて、一緒に盛り上がることができる。ビーコンＩＤの一致は、全部一致でもよいし、Minor部分を無視するなどのように一部の一致でもよい。なお、スタジアム３内に複数のビーコン装置３１を設置する場合は、一部の一致の方がよい。
【００５４】
視聴側端末４は、ステップＳ４３において、投稿ＩＤと関連付けられた投稿基本情報を受信すると、タッチパネルディスプレイ４６に投稿基本情報をリスト表示する（Ｓ４４）。この視聴側端末４を所有する観客は、このタッチパネルディスプレイ４６を操作して、好みの投稿者１を選択する（Ｓ４５）。これにより視聴側端末４は、投稿データ取得依頼と投稿ＩＤを投稿サーバ５に送信する。
【００５５】
投稿サーバ５は、ステップＳ４６において、投稿データ取得依頼と投稿ＩＤを受信すると、投稿ＩＤに関連付けられた投稿データを取得して（Ｓ４７）、視聴側端末４に送信する（Ｓ４８）。なお、投稿が未だ始まっていない場合、投稿サーバ５は、メタデータに含まれる開始予定時刻などを視聴側端末４に表示させてもよい。
視聴側端末４は、受信した投稿データを再生する。これにより視聴側端末４を所有する観客は、投稿データを視聴することができる。
【００５６】
なお、視聴側端末４は、ビーコンＩＤを定期的に取得して、投稿サーバ５に送信してもよく、投稿側端末２が取得したビーコンＩＤと一致しなくなった場合、視聴側端末４はその旨を視聴者に通知してもよい。これにより視聴者（観客）は、投稿を視聴できるか否かの情報を自動的に得ることができる。
【００５７】
図１２は、第３の実施形態のスタジアム３ｚと投稿者１との位置関係を示す図である。
第３の実施形態では、屋外のスタジアム３ｚにおける投稿を示している。
第３の実施形態において、投稿者１ａは、屋外のスタジアム３ｚに位置している。この投稿者１ａは、投稿側端末２ａを操作して、スタジアム３ｚで開催されるスポーツ競技などの解説などを投稿する。投稿側端末２ａは、このスタジアム３ｚに設置されたビーコン装置３１ａを用いて、自身の詳細な位置情報を取得する。投稿側端末２ｂ，２ｃを有する投稿者１ｂ，１ｃも同様である。投稿側端末２ｂは、このスタジアム３ｚに設置されたビーコン装置３１ｂを用いて、自身の詳細な位置情報を取得する。投稿側端末２ｃは、このスタジアム３ｚに設置されたビーコン装置３１ｃを用いて、自身の詳細な位置情報を取得する。
【００５８】
投稿側端末２ａ〜２ｃは、ＧＰＳ（Global Positioning System）を用いてスタジアム３ｘの概略の位置情報を取得する。このスタジアム３ｚの視聴者が有する視聴側端末４も同様に、ＧＰＳを用いてスタジアム３ｚの概略の位置情報を取得する。
【００５９】
なお、投稿側端末２に表示された投稿プログラム２８１の地図機能上で、投稿者がランドマークとしてのスタジアム３ｚを指定すると投稿位置として、その場所に対応した位置情報（緯度と経度、住所、施設名など、位置に関する情報）が概略の位置情報として自動設定されるようにしてもよい。
投稿側端末２の位置情報から所定の範囲内に存在する観客（視聴者）が有している視聴側端末４には、それぞれの投稿ＩＤと投稿基本情報と集合場所情報が送信される。つまり、各視聴側端末４は、位置情報によってコンテンツを絞り込み、かつコンテンツに係る集合場所を報知することができる。
【００６０】
スタジアム３ｚにいる観客の視聴側端末４には、スタジアム３ｚで投稿している投稿者１ａ〜１ｃの投稿コンテンツのメタデータと集合場所情報とがリスト表示される。そのため、観客は自分に関係ある投稿コンテンツを選択しやすくなる。なお、投稿コンテンツのメタデータとは、例えば投稿者名と、投稿コンテンツの内容と、投稿の開始日時とで構成されている。観客は、投稿コンテンツのメタデータリストのうちいずれかを選択すると、スタジアム３ｚで観戦しながら投稿コンテンツを視聴することができ、かつ投稿コンテンツに係る集合場所を知ることができる。
【００６１】
図１３は、投稿側端末２に係るシーケンス図である。
投稿側端末２は、初期設定のためにＧＰＳモジュール２３１により位置情報（概略の位置情報）を取得する（Ｓ５０）。なお、ＧＰＳモジュール２３１による位置情報に限定せず、例えば投稿プログラム２８１の地図上から、投稿者が手動で設定可能な構成であってもよい。これにより、投稿者１がその場にいなくても、解説などの投稿が可能となる。
【００６２】
次に投稿側端末２は、投稿側端末２の位置情報と、投稿ＩＤ発行依頼と、投稿基本情報を投稿サーバ５に送信する（Ｓ５１）。ここで投稿基本情報とは、投稿者名、投稿予定時刻、投稿対象、チャンネル番号、プロフィールなどを含んで構成されるメタデータである。ここでプロフィールには、投稿者の嗜好が反映されている。投稿サーバ５が投稿者のプロフィールと観客のプロフィールをマッチングすることで、観客の嗜好に合った投稿者を観客に勧めることができる。
【００６３】
投稿サーバ５は、位置情報と、投稿ＩＤ発行依頼と、投稿基本情報を受信すると、投稿ＩＤを発行し（Ｓ５２）、位置情報、投稿ＩＤ、投稿基本情報を関連付けて管理する（Ｓ５３）。投稿サーバ５は更に、投稿ＩＤと、投稿側端末２の概略の位置情報の所定の範囲内に存在する近傍の施設情報（単数または複数）を投稿側端末２に送信する（Ｓ５４）。
【００６４】
投稿側端末２は、ステップＳ５４において、投稿ＩＤと、投稿側端末２の近傍の施設情報を受信すると、これら施設情報をタッチパネルディスプレイ２６に、選択可能に一覧表示する（Ｓ５５）。投稿者１は、これら施設情報のうちひとつをタップして選択する（Ｓ５６）。これにより投稿側端末２は、選択された施設内の地図情報要求を、投稿サーバ５に送信する（Ｓ５７）。投稿サーバ５は、要求された地図情報を投稿側端末２に送信する（Ｓ５８）。ここで投稿サーバ５が送信する地図情報は、例えば施設が美術館の場合、施設内部の部屋と各部屋に予め設置されているビーコンＩＤを含むビーコン情報が関連付けられて示されている。
なお、投稿者１が施設情報を選択した場合は、投稿者の場所をその施設の場所と見なし、投稿サーバ５側にその施設の位置情報が投稿側端末２の位置情報として登録されてもよい。
【００６５】
投稿側端末２は、ステップＳ５８において、地図情報を受信すると、この地図情報をタッチパネルディスプレイ２６に表示する（Ｓ５９）。投稿者は、この地図情報を元に集合場所を選択する（Ｓ６０）。例えば投稿者が地図情報に示された部屋を選択すると、各部屋に設置されているビーコン情報が選択される。投稿側端末２は、施設情報に集合場所が設定された集合場所情報を投稿サーバ５に送信する（Ｓ６１）。なお投稿者１は、必ずしも集合場所を設定しなくてもよい。投稿者１が集合場所を選択しない場合、施設全体が集合場所として設定される。
投稿サーバ５は、集合場所情報を投稿ＩＤと関連付けて管理する（Ｓ６２）。
【００６６】
その後、投稿側端末２は、任意のタイミングで、この投稿ＩＤに関連付けた投稿データ（音声など）を投稿サーバ５に送信する（Ｓ６３）。投稿サーバ５は、投稿側端末２の集合場所情報と投稿ＩＤ、投稿基本情報に関連付けて投稿データを保存する（Ｓ６４）。
なお、投稿者１が移動している場合、ステップＳ６３において、位置情報も送信してもよい。これにより、その場所で投稿された音声などを視聴できるかどうかの情報を自動的に得ることができる。
【００６７】
図１４は、視聴側端末４に係るシーケンス図である。
視聴側端末４は、初期設定のためにＧＰＳモジュール４３１により位置情報を取得する（Ｓ７０）。なお、ＧＰＳモジュール４３１による位置情報に取得に限定せず、例えば視聴プログラムの地図上から、視聴者が手動で設定可能な構成であってもよい。そうした場合、視聴者はその場にいなくても投稿された音声などの視聴が可能となる。
【００６８】
次に視聴側端末４は、視聴側端末４の位置情報と、視聴者基本情報と、投稿視聴依頼とを投稿サーバ５に送信する（Ｓ７１）。ここで視聴者基本情報とは、視聴者の好みなどを含むプロフィール情報である。
【００６９】
投稿サーバ５は、視聴側端末４の位置情報と、視聴者基本情報と、投稿視聴依頼を受信すると、ステップＳ５３で管理した投稿側端末２の位置情報を、視聴側端末４の位置情報でフィルタリングして、投稿ＩＤを抽出する（Ｓ７２）。投稿サーバ５は、抽出した投稿ＩＤ（単数または複数）とその投稿基本情報と集合場所情報を、視聴側端末４に送信する（Ｓ７３）。つまり投稿サーバ５は、各投稿側端末２の位置から所定の範囲内に存在する視聴側端末４に対して、各投稿側端末２の投稿ＩＤと投稿基本情報と、集合場所情報とを送信する。
【００７０】
視聴側端末４は、ステップＳ７３において、投稿ＩＤと関連付けられた投稿基本情報を受信すると、タッチパネルディスプレイ４６に投稿基本情報と集合場所をリスト表示する（Ｓ７４）。この視聴側端末４を所有する観客は、このタッチパネルディスプレイ４６を操作して、好みの投稿者を選択する（Ｓ７５）。視聴側端末４は、投稿データ取得依頼と投稿ＩＤを投稿サーバ５に送信する（Ｓ７６）。
【００７１】
投稿サーバ５は、ステップＳ７６において、投稿データ取得依頼と投稿ＩＤを受信すると、投稿ＩＤに関連付けられた投稿データを取得して（Ｓ７７）、視聴側端末４に送信する（Ｓ７８）。なお、投稿が未だ始まっていない場合、投稿サーバ５は、メタデータに含まれる開始予定時刻などを視聴側端末４に表示させてもよい。
その後、視聴側端末４は、定期的にビーコンＩＤを取得し（Ｓ７９）、集合場所のピーコンＩＤと一致するか否かを判定する。
視聴側端末４は、取得したビーコンＩＤが集合場所のピーコンＩＤと一致したならば（Ｓ８０）、集合場所に着いた旨を表示する（Ｓ８１）。つまり、スタジアム３などで投稿する場合は、投稿者１と観客（視聴者）がそのスタジアム３の集合場所に集まり、一緒に盛り上がることができる。
【００７２】
なお、投稿サーバ５が、集合場所情報に設定された場所に視聴者がいると判断した場合、投稿データを送信する構成としてもよい。具体的には視聴側端末４が定期的に取得したビーコンＩＤを投稿サーバ５に送信し、視聴者（ユーザ）が視聴側端末４を介して選択した投稿者（投稿ＩＤ）の集合場所として設定された場所に設置されているビーコン情報が視聴側端末４から送信されてきた場合である。
【００７３】
例えば、美術館において、好みの美術品が設置されている部屋で、好みの解説者の解説を聞く。サッカー場で、好みのチームの応援席側で、好みの投稿者の解説を聞くなどの場合である。集合場所情報に設定された場所に視聴者が居ないと判断した場合は、集合場所に来るように案内を出す。または、集合場所では無いが視聴するかどうかを問い合わせるなどを行う。
【００７４】
また、受信した投稿データを視聴する際、視聴側端末４が投稿者１から所定の範囲外となった場合、視聴側端末４は、その旨を視聴者に通知する構成でもよい。これにより、例えば投稿者が観光案内人であった場合、その観光案内人と、はぐれてしまうことを防止することも可能である。なお、視聴側端末４は、定期的に位置情報を投稿サーバ５に送信する事によって、その場所で投稿を視聴できるか否かの情報を自動的に得てもよい。
【００７５】
図１５は、投稿者選択画面６１ａを示す図である。
視聴側端末４は、投稿サーバ５から投稿基本情報５８２と集合場所情報を受信すると、それをタッチパネルディスプレイ４６に表示する。
投稿者選択画面６１ａは、タイトル６１１と、各投稿者リスト６１３ａ〜６１３ｃを含んでいる。タイトル６１１には、「解説channel」と表示されている。投稿者リスト６１２ａには、投稿者を示すサムネイルと、投稿者の氏名である「トッキョタロウ」、集合場所情報である「１階１塁席」、投稿者の評価である「いいね１２０」が表示されている。これは、過去にこの投稿者が、「いいねアイコン」の累積タップ数１２０回の評価を受けたことを示している。投稿者リスト６１３ｂ，６１３ｃも同様な内容が表示されている。
【００７６】
ここで視聴者（観客）が、投稿者リスト６１３ａ〜６１３ｃのうちいずれかをタップすると、タップした投稿者が選択され、かつ、図１７に示す解説中画面６２ａに遷移する。以下、投稿者リスト６１３ａ〜６１３ｃを特に区別しないときには、単に投稿者リスト６１３と表示する。
【００７７】
図１６は、集合場所選択画面６３を示す図である。
集合場所選択画面６３は、タイトル６３１と、集合場所選択領域６３２と、テロップ領域６３３とを含んでいる。タイトル６３１には、「解説channel」と表示されている。
集合場所選択領域６３２には、各投稿者に係る集合場所が星形マークで表示されている。視聴者がこの星形マークのうちいずれかをタップすることで、タップした集合場所が選択され、かつ、図１７に示す解説中画面６２ａに遷移する。
テロップ領域６３３には、「集合場所をタップ」と表示されている。
【００７８】
図１７は、解説中画面６２ａを示す図である。
解説中画面６２は、タイトル６２１と、解説領域６２２と、テロップ領域６２３と、いいねアイコン６２４、わるいねアイコン６２５を含んでいる。タイトル６２１には、投稿の名称として「トッキョタロウchannel」が表示されている。解説領域６２２には、投稿者が送信した投稿データが表示されており、ここでは投稿者を撮影した動画が表示されており、かつスピーカ４７を介して投稿者が喋る音声が出力される。
【００７９】
テロップ領域６２３には、「１階１塁席に集合」が表示され、「１階１塁席」に集合場所リンク６２６が貼られている。この集合場所リンク６２６をタップすると、図１８に示す集合場所画面６４に遷移する。
【００８０】
いいねアイコン６２４とわるいねアイコン６２５は、視聴者が投稿者を評価するインタフェースである。各視聴者が、いいねアイコン６２４やわるいねアイコン６２５をタップすると、その情報は投稿サーバ５に蓄積されて、例えば次回の投稿者リスト６１２に表示される。
【００８１】
図１８は、集合場所画面を示す図である。
集合場所画面６４は、タイトル６４１と、集合場所領域６４２と、テロップ領域６４３を含んでいる。タイトル６４１には、「解説channel」と表示されている。
集合場所領域６４２には、選択した投稿者に係る集合場所が星形マークで表示され、ここでは１塁側１階席の位置が示されている。
テロップ領域６４３には、「１塁側１階席に集合」と、投稿者を示すアイコンが表示されている。
【００８２】
図１９は、解説中画面６２を示す図である。
図１９に示す解説中画面６２は、図６に示した解説中画面６２と同様である。この画面により、視聴者は、スタジアム３ｚにおいて投稿データを視聴することができる。
【００８３】
いいねアイコン６２４とわるいねアイコン６２５は、視聴者が投稿者を評価するインタフェースである。各視聴者がいいねアイコン６２４やわるいねアイコン６２５をタップすると、その情報は投稿サーバ５に蓄積されて、例えば次回の投稿者リスト６１２に表示される。
【００８４】
本実施形態のシステムのように、投稿者と視聴者のプロフィールのとおりマッチングしつつ、例えば会場内の特定の場所を、視聴者のプロフィール（好みなど）に応じた集合場所として設定可能な構成としてもよい。具体的には投稿者は、投稿プログラム２８１の画面上に表示された会場地図で集合場所を設定する。この投稿者データが視聴者によって選択された場合、視聴者の視聴プログラムの画面上に会場地図が表示され、その会場地図上に投稿者が設定した集合場所がランドマークとして表示される。
【００８５】
そうした場合、視聴者は同じ好みの人達で集まることができ、例えばスポーツ観戦などにおいて応援する際に一緒に盛り上がることができる。場所の設定はＧＰＳでもよく、ビーコン装置でもよく、投稿者が投稿プログラムの地図上の位置をタップで設定してもよい。本実施形態ではＧＰＳを用いて概略の位置情報を設定し、ビーコン装置を用いて詳細な位置情報（集合場所情報）を設定しているが、それに限定されない。ビーコン装置を用いて概略の位置情報を設定してもよいし、ＧＰＳを用いて集合場所情報を設定する構成であってもよい。集合場所情報を設定する場合、その所定の範囲は、概略の位置情報の所定の範囲よりも狭い範囲に設定するとよい。また、ＧＰＳによる位置情報や、会場内に複数のビーコン装置を配置することによって、視聴者に視聴プログラムを介して集合場所までの道案内可能な構成としてもよい。
【００８６】
第３の実施形態は、美術館や博物館などの展示品の音声解説にも応用可能である。投稿サーバは、会場入口から視聴者が好みの美術品が置いてある部屋へ案内する。視聴プログラムの画面中には会場地図が表示され、会場地図上で好みの美術品が置いてある部屋がどこなのか、また、閲覧するための最短ルートはどのルートなのかを表示する。視聴者は自分の好みの美術品を効率よく閲覧することが可能である。
【００８７】
具体的には、美術品に対する解説データは予め投稿データとして投稿サーバ上に保存される。その解説データは、解説者の属性情報や美術品の情報、解説対象の美術品が設置されている部屋に置かれたビーコン装置と関連づけされている。また、美術品は複数の部屋に存在し、その部屋毎にその部屋と関連づけされた解説データが存在する。視聴者が会場に訪れた場合、視聴側端末は、視聴プログラムを実行することによって自分がいる場所の情報と自分の属性情報（好みなど）を投稿サーバに送信する。例えば、視聴側端末は、ＧＰＳ信号を受信し、会場から所定の範囲に視聴者が存在するという情報を投稿サーバに送信する。
【００８８】
また、視聴側端末は、美術品が設置された部屋のビーコン信号を受信した場合、その部屋の場所情報を投稿サーバに送信する。投稿サーバは，解説データと関連付けされた場所情報から所定の範囲に存在する視聴者に対して解説データを試聴可能とする。その際、投稿サーバは、解説データに設定された解説者（投稿者）の属性情報や解説対象である美術品の情報と視聴者の属性情報とをマッチングさせ、視聴者の好みに応じたお勧めの美術品が設置されている部屋を案内する。投稿サーバは、例えば美術品の作者、作成された時代、視聴者が指定する解説者などを、視聴者の好みに応じてマッチングさせる。
【００８９】
投稿サーバによる部屋の案内情報は視聴側端末に送信され，視聴側端末のタッチパネルディスプレイに会場地図として表示される。視聴側端末が会場内に設置された複数のビーコン装置からの信号を受信することによって、会場内での視聴者の屋内位置が特定できる場合は、その位置情報が投稿サーバに送信され、投稿サーバは一番近いオススメの美術品が設置されている部屋を順番に案内する構成としてもよい。視聴者は、美術品が設置されている部屋に行き、視聴プログラムを介してその美術品の解説データを視聴する。
【００９０】
同様に、視聴プログラムに地図を表示させることによって、町の観光案内、災害時の避難場所情報を視聴する場合にも応用可能である。
【００９１】
（変形例）
本発明は、上記実施形態に限定されることなく、本発明の趣旨を逸脱しない範囲で、変更実施が可能であり、例えば、次の（ａ）〜（ｇ）のようなものがある。
【００９２】
（ａ）  「投稿者または視聴者がいる場所」は、投稿視聴プログラム（または視聴プログラム）に表示された地図上からランドマークとして設定可能な構成であってもよい。
（ｂ）  また、投稿データに関する評価をリアルタイムで投稿者にフィードバックさせる構成であってもよい。視聴者達の評価結果はサーバで集計され、サーバはその集計データを投稿者に配信することによって、投稿者は、自身の投稿の人気度合いをリアルタイムで確認しながら投稿することができる。また、例えばこの試合を投稿している人の中で何位の人気なのかという情報も有るとよい。また、視聴側端末から選択された数を集計した視聴者数に関する情報も有るとよい。また、これらの集計情報は、視聴側端末にも配信可能な構成としてもよい。そうした場合、視聴側端末の投稿者選択画面の各投稿者リストに各投稿者の集計結果が表示される。例えば投稿途中から視聴を開始しようとしている視聴者などは、その集計結果を参考にして投稿者を選択することができる。もちろん、これらの集計結果は、次回の投稿者リストに表示させてもよい。
（ｃ）  また、サーバで集計された、当該投稿者を選択してくれた視聴者達のプロフィール（属性データ）の集計結果を当該投稿者にフィードバックする構成であってもよい。そうした場合、投稿者は自身の投稿がどの様な人達に好まれているかを認識することが可能となり、人気が出るためにはどうすればよいかというヒントにもなる。
（ｄ）  投稿者の分類について、公式の投稿者と飛び込み投稿者（素人さん）を分類して視聴者に投稿データをリスト表示させる構成であってもよい。公式投稿者は、投稿サーバの管理者によって事前に公式投稿者としてＩＤが発行され、投稿サーバに「公式投稿者」として登録される。この場合、視聴側端末には、この公式投稿者が公式である旨が表示される。
（ｅ）  投稿サーバの管理者は、投稿者プロフィールや視聴者プロフィールの属性データを入手することが可能となる。そのため、投稿サーバの管理者は、それらの属性データを利用して、各投稿者または視聴者にお勧め情報を提供してもよい。お勧め情報とは、お勧め商品、コンサート、スポーツ試合、マラソン、競馬、セミナーなどの各種開催案内などである。例えば投稿サーバを介して、各プロフィールから推測される各投稿者または視聴者の好みに応じたお勧め情報を、各投稿側端末または各視聴側端末に送信する。
（ｆ）  投稿データとしては、音声や動画に限られず、音楽、静止画、文字、手書き画像（例えば投稿プログラム上で手書き入力）などであってもよい。また、リアルタイムで配信される投稿データであってもよいし、予め録音されたデータなど、ファイルとして保存されたものであってもよい。
（ｇ）  各端末の位置情報を取得するにあたり、ＧＰＳモジュールのみを使用してもよく、ビーコンモジュールのみを使用してもよく、更にＧＰＳモジュールとビーコンモジュールを組み合わせて使用してもよい。例えば、大まかな場所をＧＰＳで設定し、会場内の細かな場所の指定をビーコン装置で対応するなどである。また各端末は、ＧＰＳによる位置情報の精度を高めるために各端末が通信に利用しているWi-Fi（登録商標）やモバイルネットワークの基地局の位置情報を利用したり、各端末が具備する加速度センサやジャイロセンサなど、各センサからの情報を利用してもよい。
【符号の説明】
【００９３】
１，１ａ〜１ｆ  投稿者  （解説者、実況者）
２，２ａ〜２ｆ  投稿側端末
２１  ＣＰＵ
２２１  ＲＯＭ
２２２  ＲＡＭ
２３１  ＧＰＳモジュール
２３２  ビーコンモジュール
２４１  撮像部
２４２  マイク
２５  通信部
２６  タッチパネルディスプレイ
２７  スピーカ
２８  記憶部
２８１  投稿プログラム
３，３ｘ〜３ｚ  スタジアム
３ｐ，３ｑ  施設
３１  ビーコン装置
３１ａ〜３１ｃ，３１ｐ，３１ｑ  ビーコン装置
４  視聴側端末
４１  ＣＰＵ
４２１  ＲＯＭ
４２２  ＲＡＭ
４３１  ＧＰＳモジュール
４３２  ビーコンモジュール
４４２  マイク
４５  通信部
４６  タッチパネルディスプレイ
４７  スピーカ
４８  記憶部
４８１  視聴プログラム
５  投稿サーバ  （投稿解説支援サーバ）
２１  ＣＰＵ  （発行手段，管理手段，保管手段，属性情報送信手段，施設情報送信手段，地図情報送信手段，集合場所受信手段）
２２１  ＲＯＭ
２２２  ＲＡＭ
５３  入力部
５４  表示部
５５  通信部  （配信手段）
５８  記憶部
５８１  投稿ＩＤ
５８２  投稿基本情報
８５３  投稿者位置情報
５８４  投稿データ
５８５  視聴者基本情報
８５６  視聴者位置情報
５８７  投稿解説支援プログラム
６１  投稿者選択画面
６１ａ  投稿者選択画面
６１１  タイトル
６１２ａ〜６１２ｃ，６１２  投稿者リスト
６１３ａ〜６１３ｃ，６１３  投稿者リスト
６２，６２ａ  解説中画面
６２１  タイトル
６２２  解説領域
６２３  テロップ領域
６２６  集合場所リンク
６２４  いいねアイコン
６２５  わるいねアイコン
６３  集合場所選択画面
６３１  タイトル
６３２  集合場所選択領域
６３３  テロップ領域
６４  集合場所画面
６４１  タイトル
６４２  集合場所領域
６４３  テロップ領域
【図１】
2020021206.tif 000003
【図２】
2020021206.tif 000004
【図３】
2020021206.tif 000005
【図４】
2020021206.tif 000006
【図５】
2020021206.tif 000007
【図６】
2020021206.tif 000008
【図７】
2020021206.tif 000009
【図８】
2020021206.tif 000010
【図９】
2020021206.tif 000011
【図１０】
2020021206.tif 000012
【図１１】
2020021206.tif 000013
【図１２】
2020021206.tif 000014
【図１３】
2020021206.tif 000015
【図１４】
2020021206.tif 000016
【図１５】
2020021206.tif 000017
【図１６】
2020021206.tif 000018
【図１７】
2020021206.tif 000019
【図１８】
2020021206.tif 000020
【図１９】
2020021206.tif 000021